(57)【要約】      （修正有）【課題】搬送中における水生生物へのストレスを低減するとともに、取扱い容易で再利用・再活用が可能な収容体ユニットを提供する。また、水生生物へのストレスを低減した理想的な搬送環境を実現した被収容物搬送システムを提供する。【解決手段】収容体ユニット１は、被収容物が収容される第１収容体１０と、第１収容体１０が収容される第２収容体２０と、で構成される。第１収容体１０は、筐体１１及び蓋体１２で密閉され、多数の貫通孔Ｐ１，Ｐ２が形成されている。蓋体１２の外周部１２ｂは第２収容体２０の内壁面に当接し、第１収容体１０と第２収容体２０とが離間して位置決めされる。また、第２収容体２０は、第１収容体１０の外周部１２ｂと当接する位置に切欠部２０ａが形成され、外周部１２ｂと切欠部２０ａとが当接して第１収容体１０と第２収容体２０との相対的関係が位置決め固定される。このような位置決めが、水生生物へのストレス低減に資する。【選択図】図１
2018065610.tif 000002
【特許請求の範囲】
【請求項１】
被収容物が収容される第１収容体と、前記第１収容体が収容される第２収容体と、で構成される収容体ユニットであって、
前記第１収容体は、筐体及び蓋体で密閉され、多数の貫通孔が形成されており、
前記第２収容体は、両端又は少なくとも片端が開口されている
ことを特徴とする収容体ユニット。
【請求項２】
前記第１収容体と前記第２収容体との収容状態において、
いずれかの周面から起立して両者の周面を離間した状態に保つ周面起立部と、
前記周面起立部に当接して両者の横方向への移動を規制する規制部と、
が設けられることを特徴とする請求項１記載の収容体ユニット。
【請求項３】
前記第１収容体の前記蓋体は、
前記筐体と同径の嵌合溝と、
前記嵌合溝から外側に向かう外周部と、
が形成されており、
前記嵌合溝に前記筐体の開口端部が嵌合される
ことを特徴とする請求項１又は２記載の収容体ユニット。
【請求項４】
前記外周部は前記第２収容体の内壁面と当接して、前記第１収容体と前記第２収容体との周面が離間して位置決めされている
ことを特徴とする請求項３記載の収容体ユニット。
【請求項５】
前記第２収容体は、前記第１収容体の前記外周部と当接する位置に切欠部が形成されていることを特徴とする請求項１から４のいずれか記載の収容体ユニット。
【請求項６】
多数の貫通孔が形成され被収容物が収容される第１収容体と、前記第１収容体が収容される第２収容体と、で構成される収容体ユニットと、前記収容体ユニットを浸水して密封する躯体と、を備えたことを特徴とする被収容物搬送システム。
【請求項７】
前記躯体内に、酸素ガス又は混合ガスを供給することを特徴とする請求項６記載の被収容物搬送システム。
【請求項８】
前記混合ガスは、酸素と二酸化炭素ガスを含むことを特徴とする請求項７記載の被収容物搬送システム。
【請求項９】
前記躯体内に供給する調製水の塩分濃度を段階的に減少させることを特徴とする請求項６から８のいずれか記載の被収容物搬送システム。
【請求項１０】
前記躯体内に供給する調製水として、カルシウム、カリウム、ナトリウムの各塩化物を添加した水を用いることを特徴とする請求項６から９のいずれか記載の被収容物搬送システム。
【請求項１１】
前記収容体ユニットは、請求項１から５のいずれか記載のものであることを特徴とする請求項６から１０のいずれか記載の被収容物搬送システム。
【発明の詳細な説明】
【技術分野】
【０００１】
本発明は、被収容物を収容して搬送や廃棄を好適に行うことができる収容体ユニット及びこれを利用した被収容物搬送システムに関する。
【背景技術】
【０００２】
水中に生息する魚介類や植物などの水生生物を生きたまま搬送することが日常的に行われており、良好な状態を保ったまま搬送する取り組みが種々提案されている。従来は、大きな水槽ごとトラックで輸送するシステム等が主流であったが、インターネットを利用した商品の売買及び物流システムによって個別的な需要が増えてきており、最近では一匹単位での梱包輸送を考えたシステムの要望が高まってきている。それゆえ、一匹単位での梱包が容易に出来て消費者が容易に利用でき、既存の低温輸送システムを活用して誰でもが簡単に利用できる搬送システムが一層望まれる様になってきている。
【０００３】
例えば、特許文献１に開示された鮮魚移送用袋は、内袋と外袋とで分離された二重袋で構成され、強靭性・耐久性・耐水性等を備えた内袋に鮮魚を容入し、断熱性を備えた外袋で保冷状態を保って鮮度及び品質を保持して保管・移送できるものである。
【先行技術文献】
【特許文献】
【０００４】
【特許文献１】特開２００７−１６４０号公報（段落［０００１］、［００２１］）
【発明の概要】
【発明が解決しようとする課題】
【０００５】
しかしながら、特許文献１やその他種々の提案は、水生生物を生きたまま搬送する際に生じる外的要因の影響を軽減する効果的な取り組みはなされていない。例えば、搬送中における水温や酸素濃度等の管理は徹底されているが、搬送中における衝撃や振動がもたらす水生生物への影響は、ストレスとして作用して結果的にダメージとして残る。水生生物への様々なストレスは、肉質の低下といった商品価値の低下や、酸素の消費増大といった搬送環境の悪化につながる。
【０００６】
また、水生生物には様々な形状をしたものがあり、カニやエビなどの甲殻類、自身の形状だけでなく表面に固い付着物の付いた貝類、素手で直接触れるとケガをするような硬いヒレを持つ魚類など、接触した相手を損傷させるような形状の水生生物が存在し、梱包のために利用する袋等が破損して、中に一緒に封入する水が漏れ出してしまっては、搬送する水生生物が死滅する事態となり、搬送の際の包装・梱包には重要な課題となる。
【０００７】
さらに、水生生物を搬送終了した際に生じる包装・梱包資材を無用のゴミとして処分していては、地球環境の悪化につながる。
【０００８】
そこで、本発明は、搬送中における水生生物へのストレスを低減するとともに、取扱い容易で再利用・再活用が可能な収容体ユニットを提供する。また、水生生物へのストレスを低減した理想的な搬送環境を実現した被収容物搬送システムを提供する。
【課題を解決するための手段】
【０００９】
本発明は、上記課題を解決するために、以下のものを提供する。
【００１０】
（１）  被収容物が収容される第１収容体と、前記第１収容体が収容される第２収容体と、で構成される収容体ユニットであって、前記第１収容体は、筐体及び蓋体で密閉され、多数の貫通孔が形成されており、前記第２収容体は、両端又は少なくとも片端が開口されていることを特徴とする収容体ユニット。
【００１１】
本発明によれば、収容体ユニットは第１収容体と第２収容体との二重構造を有しており、第１収容体と第２収容体とが別体となって連結・固定されていないことから、搬送時の様々な振動や衝撃が被収容物に伝わりにくい構造となっている。すなわち、第１収容体を密閉し、第２収容体を第１収容体のシールドとしている構造は、外的要因による被収容物への影響を伝わりにくくしており、例えば、搬送時における振動や衝撃又はガス注入時におけるバブリングがもたらす海水面の波立ちによる被収容物へのストレス負荷を、シールド効果及び密閉効果によって低減することができる。
【００１２】
（２）  前記第１収容体と前記第２収容体との収容状態において、いずれかの周面から起立して両者の周面を離間した状態に保つ周面起立部と、前記周面起立部に当接して両者の横方向への移動を規制する規制部と、が設けられることを特徴とする収容体ユニット。
【００１３】
本発明によれば、周面起立部によって第１収容体と第２収容体との周面が離間した状態を保ち、規制部によって第１収容体と第２収容体との相対的関係が位置決め固定されて横方向への移動を防止することができることから、第２収容体が受ける振動や衝撃が直に第１収容体に伝わることがなく緩衝するように働くとともに、第１収容体の過度な動きを抑制して、被収容物へのストレス負荷を低減することができる。
【００１４】
（３）  前記第１収容体の前記蓋体は、前記筐体と同径の嵌合溝と、前記嵌合溝から外側に向かう外周部と、が形成されており、前記嵌合溝に前記筐体の開口端部が嵌合されることを特徴とする収容体ユニット。
【００１５】
本発明によれば、筐体と同径の嵌合溝に筐体の開口端部が嵌合されることで第１収容体を密閉することができる。一方、嵌合溝から筐体の開口端部を抜き外すことで第１収容体を開封することができる。簡易な構造で第１収容体の開閉ができ、取扱いが容易である。
【００１６】
（４）  前記外周部は前記第２収容体の内壁面と当接して、前記第１収容体と前記第２収容体との周面が離間して位置決めされていることを特徴とする収容体ユニット。
（５）  前記第２収容体は、前記第１収容体の前記外周部と当接する位置に切欠部が形成されていることを特徴とする収容体ユニット。
【００１７】
本発明によれば、外周部は第２収容体の内壁面と当接することで第１収容体と第２収容体との周面が離間した状態を保っていることから、第２収容体が受ける振動や衝撃が直に第１収容体に伝わることがなく、緩衝するように働いて、被収容物へのストレスを和らげることが期待できる。また、本発明によれば、第２収容体は、前記第１収容体の前記外周部と当接する位置に切欠部が形成されていることから、外周部と切欠部とが当接し、第１収容体と第２収容体との相対的関係が位置決め固定され、第１収容体の横方向への移動を防止することができる。第１収容体の過度な動きは被収容物へのストレスに繋がることから、被収容物へのストレス負荷を低減することができる。
【００１８】
（６）  多数の貫通孔が形成され被収容物が収容される第１収容体と、前記第１収容体が収容される第２収容体と、で構成される収容体ユニットと、前記収容体ユニットを浸水して密封する躯体と、を備えたことを特徴とする被収容物搬送システム。
【００１９】
本発明によれば、収容体ユニットと収容体ユニットを浸水して密封する躯体とを備えた被収容物搬送システムは、被収容物である水生生物へのストレスを低減し、経済的かつ合理的で理想的な搬送環境を実現することができる。
【００２０】
二重構造の簡易な収容体ユニットと浸水可能な躯体によって、水生生物を生きたまま良好な状態で搬送することを可能にする。プラスティックフィルム袋とダンボール箱とで躯体を構成するなど安価な資材を用いることで、経済的かつ合理的となる。また、断熱性に優れた発泡スチロール等の素材は外気温の変化による温度上昇を抑えるという点ではよいが、上昇した外気温を容易に下げられることも重要であり、熱伝導の悪くない素材を躯体として利用し、再冷却可能な躯体によって水温管理を容易にする資材も好適である。さらに、水温の低下により被収容物である水生生物の代謝が低下し、酸素の消費量も下がることから、少ない酸素量で長時間生命を維持しやすくなることに繋がる。
【００２１】
二重構造の収容体ユニットで被収容物を包み込むことで、被収容物の突起物で躯体を破損してしまうことが防止できる。躯体が破損してしまうと、水生生物にとって必須の水（淡水や海水）を失って致命的となることから重要である。
【００２２】
（７）  前記躯体内に、酸素ガス又は混合ガスを供給することを特徴とする被収容物搬送システム。
（８）  前記混合ガスは、酸素と二酸化炭素ガスを含むことを特徴とする被収容物搬送システム。
【００２３】
本発明によれば、酸素ガス又は混合ガスを供給して水生生物の搬送に好適な水中溶存酸素量を維持することができる。供給される酸素ガス又は混合ガスは、躯体内の大気中又は海水中に放出される。特に海水を波立たせる又はバブリングを行うことで酸素の溶解はしやすくなる。
【００２４】
（９）  前記躯体内に供給する調製水の塩分濃度を段階的に減少させることを特徴とする被収容物搬送システム。
（１０）  前記躯体内に供給する調製水として、カルシウム、カリウム、ナトリウムの各塩化物を添加した水を用いることを特徴とする被収容物搬送システム。
【００２５】
本発明によれば、二酸化炭素ガスを取り込んだ水生生物が長時間眠ったままで麻酔をかけられた状態を創出することができ、酸素消費量を低減させることができる。また、塩分濃度を減少させることで水生生物にとって負担の少ない呼吸環境を創出することができ、結果として、長時間の搬送にも十分耐えることが可能で、搬送環境の悪化を軽減することが可能となる。さらに、調製水として、カルシウム、カリウム、ナトリウムの各塩化物を適当量添加した水を用いることで、被収容物である水生生物の代謝に最低限必要な物質を含んだ水によって、低コストで病原菌の発生リスクがない搬送システムを提供することができる。
【００２６】
（１１）  前記収容体ユニットは、（１）から（５）のいずれか記載のものであることを特徴とする被収容物搬送システム。
【発明の効果】
【００２７】
本発明は、搬送中における水生生物へのストレスを低減することができる搬送環境を創出し、取扱い容易で再利用・再活用を可能とする。
【図面の簡単な説明】
【００２８】
【図１】本発明の実施の形態に係る収容体ユニットの一部断面鳥観図である。
【図２】本発明の被収容物搬送システムを使用した梱包状態を説明するための図である。
【図３】本発明の被収容物搬送システムを説明するための図である。
【図４】本発明の被収容物搬送システムを使用した被収容物の安定化状態を説明するための図である。
【図５】本発明の収容体ユニットの１つの活用例を説明するための図である。
【図６】第１収容体の構成図である。
【図７】第１収容体の筐体の構成図である。
【図８】第１収容体の蓋体の構成図である。
【図９】第２収容体の構成図である。
【図１０】第２収容体の構成図である。
【図１１】封止蓋体の構成図である。
【図１２】本発明の収容体ユニットの組立図である。
【発明を実施するための形態】
【００２９】
以下、本発明の実施の形態について図面に基づいて説明する。
【００３０】
図１は、本発明の実施の形態に係る収容体ユニット１の一部断面鳥観図である。収容体ユニット１は、被収容物が収容される第１収容体１０と、第１収容体１０が収容される第２収容体２０と、で構成される。第１収容体１０及び第２収容体２０の材質は、透明又は半透明なプラスチック素材など破損し難く衝撃に耐え得るものである。以下では、円筒状の第１収容体１０及び第２収容体２０を例に説明するが、三角柱や四角柱、三角錘や四角錘等の中空の多角形状であってもよい。
【００３１】
第１収容体１０は、円筒状の筐体１１の左右両端開口部に蓋体１２が取り付けられて密閉されている。使用時には筐体１１内に水生生物等の被収容物を収容した後に蓋体１２を取り付ける。筐体１１の周面には多数の貫通孔Ｐ１が形成され、また、蓋体１２には多数の貫通孔Ｐ２が形成されていることで、第１収容体１０における水や大気の出し入れを可能にしている。貫通孔Ｐ１，Ｐ２は、海水の循環を効率よく行い、局部的に酸素濃度や炭酸ガス濃度、生物の排泄物等が偏って存在することを防ぐ。
【００３２】
蓋体１２は、筐体１１と同径に立設した嵌合溝１２ａと、嵌合溝から外側に向かう外周部１２ｂと、嵌合溝１２ａから内側に向かう内周部１２ｃと、が形成されている。筐体１１の両端開口部は蓋体１２のそれぞれの嵌合溝１２ａに嵌合されることで、第１収容体１０は筐体１２及び蓋体１１で密閉される。また、蓋体１２の外周部１２ｂは周面起立部として機能し、第２収容体２０の内壁面に当接し、第１収容体１０と第２収容体２０とが離間して位置決めされている。これにより、第１収容体１０と第２収容体２０が互いに連結・固定されていないことから、搬送中に発生する振動や揺れが第１収容体１０に直接伝わらず、緩和されることになる。また、第１収容体１０と第２収容体２０とが離間して位置決めされていることにより、貫通孔Ｐ１の封鎖を防ぐことができる。
【００３３】
第２収容体２０は、両端が開口された円筒状を呈しており、使用時には開口端の一方から第１収容体１０を挿入して収容する。図１においては、第２収容体２０には第１収容体に形成されているような貫通孔Ｐ１，Ｐ２は存在しないが、貫通孔を形成してもよい。ただし、第１収容体１０と第２収容体２０の貫通孔が重なって、被収容物の突起部が外側の袋を破損しないように注意する必要がある。
【００３４】
第２収容体２０は、第１収容体１０の外周部１２ｂと当接する位置に切欠部２０ａが形成されて規制部として機能しており、第２収容体２０に第１収容体１０を挿入して収容した後に、切欠部２０ａを第１収容体１０側に押圧して爪を立てることで、外周部１２ｂと切欠部２０ａとを当接可能にし、第１収容体１０と第２収容体２０との相対的関係が位置決め固定される。すなわち、第２収容体２０における第１収容体の横方向への移動を防止することができる。
【００３５】
すなわち、輸送中においてダンボール箱３が受ける衝撃や振動がそのまま伝わることは、対象物Ｏにとってはストレスとして作用し、肉質の低下といった商品価値の低下や、酸素の消費増大といった搬送環境の悪化につながる。本システムは、第１収容体１０と第２収容体２０とで二重構造をなし、それぞれの収容体同士が連結されていないことにより、輸送時の様々な振動や衝撃が被収容物Ｏに伝わりにくい構造を成している。
【００３６】
例えば、輸送車両の加速時又は減速時には、第２収容体２０は慣性に従って移動するものの、第１収容体１０は切欠部２０ａによる位置決め固定により、そのままの慣性を受けることなく位置決めされて停止する。このとき、第１収容体１０と第２収容体２０とが離間した状態を保っていることから、第２収容体２０が受ける衝撃・振動エネルギーがそのまま第１収容体１０に伝わることがなく、分散して減衰した状態で伝わることとなる。この作用は、第１収容体１０が完全に水没している状態であればより効果的となる。また、第１収容体１０が完全に水没している状態で波立ちが発生しても、その波立ちが被収容物Ｏに直接当ることはなく、ストレスを効果的に低減することとなる。さらに、波立ちの発生によりバブリング効果を生み出し、水中における酸素溶解度が増すこととなる。
【００３７】
図２は、本発明の被収容物搬送システムを使用した梱包状態を説明するための図であり、（ａ）は一部透視鳥観図、（ｂ）は梱包状態で搬送可能にした例を示す図である。被収容物Ｏ（図示ではエビ）が収容された収容体ユニット１は、開口端部２ａが封止されたビニール袋２内に調製水Ｗ１，Ｗ２で浸水され、酸素が充填された状態で密封されており、全体がダンボール箱３に収容されて梱包される。すなわち、被収容物搬送システムは、ダンボール箱３と必要最小限のビニール袋２と二重構造の収容体ユニット１とで構成される。
【００３８】
ビニール袋２とダンボール箱３とは別体でも一体でもよいが、ビニール袋２はゴミを封入するための袋として活用でき、ダンボール箱３は回収資源ゴミとして再利用できることから、環境上の観点として別体の方が好都合である。また、収容体ユニット１を調製水Ｗ１，Ｗ２で浸水することのできる耐水性のある躯体であれば、ビニール袋２とダンボール箱３との併用に替えて発泡スチロール箱であってもよいが、資材の材料費の負担が大きく、調製水Ｗ１，Ｗ２の重量に対する強度に不安が生じ、断熱性の高い発泡スチロール箱では外部からの冷却効果が期待できないなどのデメリットが大きいことから、ビニール袋２とダンボール箱３との併用の方が好適である。
【００３９】
被収容物搬送システムの利用の仕方は以下の通りである。
（Ａ）十分な大きさで強度も十分なダンボール箱３を用意して、この中に水圧に耐え得る十分な強度（厚み）をもつビニール袋２を広げる。
（Ｂ）この中に、約１０℃（５℃〜１５℃）の清浄な調製水Ｗ２（バクテリア類を含まない人工海水。淡水であってもよい。）をダンボール箱３の容積の４０％〜７０％を目途に注入する。収容体ユニット１が海水Ｗに沈むくらいの量を目安として、海面が収容体ユニット１の途中にあるようにする。
（Ｃ）被収容物Ｏを収容した収容体ユニット１をビニール袋２に満たされた調製水Ｗ２中に入れる。複数の収容体ユニット１を入れてもよい（図２（ｂ））。
（Ｄ）ビニール袋２の開口端部２ａを狭め、ダンボール箱３全体にビニール袋２が広がるように空気又は高濃度酸素ガスを充填する。
（Ｅ）ビニール袋２内の調製水Ｗ２や空気が漏れないように開口端部２ａを密封して、ダンボール箱３の梱包を仕上げる（図２（ａ））。梱包の際、ダンボール箱３の外側に開口端部２ａを出しておくと、酸素ガス等の供給を行う際に梱包を解く必要がないので好適である。
以上により、輸送業者の保冷設備を搭載した低温輸送手段を利用して、水生生物を生きたまま理想的な状態で、より低コストで搬送することができる。なお、調製水Ｗ２の温度は５℃〜１５℃の環境となるように搬送中において維持するのが好ましい。
【００４０】
図３は、本発明の実施の形態に係る被収容物搬送システムを説明するための図であり、上述した工程（Ｄ）及び（Ｅ）の一態様となる。ビニール袋２の開口端部２ａを開封して、酸素ガス又は混合ガスをビニール袋２内に充填し（図３（ａ））、充填が完了したら開口端部２ａを封止して再び密封する（図３（ｂ））。この時に使用する調製水Ｗ２は、図４に示す調製水Ｗ２を利用し、小型水槽より汲み入れる。
【００４１】
ここで、酸素と二酸化炭素の比率を８０：２０〜７０：３０とした混合ガスを水道水あるいは地下水を精製した水中にナノバブル装置を経て放出して調製水を形成すると、これを取り込んだ水生生物が長時間眠ったままで麻酔をかけられた麻酔状態を創出することができる。水生生物の酸素消費量は低減するので、十分な残存酸素が調製水Ｗ２に残り長時間の搬送にも十分耐えることが可能となる。また、水生生物が呼吸時に放出するアンモニアも最小限で済むこととなり、搬送環境の悪化を軽減することが可能となる。
【００４２】
ガスボンベ６ｂ，６ｃから供給される混合ガスを調製水Ｗ１，Ｗ２に直接送り込むとともに、その際にナノ装置７を用いて混合ガスをナノ化してバブリングし濃度を高め、水中溶存酸素量を飽和酸素量の５５％以下に設定した海水Ｗを作り出す。ナノ装置７では、混合ガスを圧入ナノ化して３０分／ｔ（トン）の設定で海水Ｗに放出することで、溶存酸素量を高めている。なお、酸素と二酸化炭素の比率を８０：２０〜７０：３０とした混合ガスをナノ化してバブリングすることで、水生生物が長時間眠ったままで麻酔をかけられた状態をより効果的に創出することができる。例えば、ガスボンベ６ｂの混合ガスとして酸素７：二酸化炭素３を用い、ガスボンベ６ｃの混合ガスとして酸素８：二酸化炭素２を用いる。
【００４３】
図４は、本発明の被収容物搬送システムを使用した被収容物の安定化状態を説明するための図である。海水Ｗの塩分濃度を段階的に減少させており、図４では、異なる塩分濃度の調製水Ｗ１，Ｗ２を複数用意しておき、被収容物である水生生物を収容体ユニット１ごと移す態様を示している。なお、同じダンボール３内で調製水Ｗ１，Ｗ２を入れ替えることで塩分濃度を変えてもよい。
【００４４】
通常、海水の塩分濃度は３％であるが、この環境下に生息している海水魚は、塩分濃度のない淡水魚に比べて呼吸と同時に塩分を放出するために必要なエネルギーを消費している。塩分濃度を０．７％〜１％とした調整水を供給することで、海水魚にとって呼吸エネルギーの負担が最も少なくて済み、水生生物にとって負担の少ない被収容物搬送システムを提供する。
【００４５】
魚介類の中でも海水中に生息する生物の多くは、その生息する水の塩分濃度を海水よりも低い塩分濃度にすると生息するための負担が少なくなることが知られている。そこで、本システムでは、その被収容物Ｏを梱包する前に、塩分濃度を下げた調製水になじませてから梱包することで、被収容物Ｏに負担がかからない有利な搬送条件を創出することができる。これにより、梱包・輸送される海洋性の水生生物は、一層負担の少ない輸送が可能となる。さらには、輸送中の酸素消費量や生物のストレス軽減にも好結果となる。
【００４６】
図４では、通常海水から段階的に塩分濃度を下げた調製水に慣らしていく手段の一例を示しており、第１段階として塩分濃度約３％の通常海水Ｗを供給し、第２段階として塩分濃度約２％の調製水Ｗ１（水道水＋塩）、第３段階として塩分濃度約１％の調製水Ｗ２（水道水＋塩）を使用している。第１段階は水揚げ入荷された直後の水生生物を保管する養成水槽として通常海水Ｗを利用する。第２段階、第３段階は、水生生物の適応性によって塩分濃度を段階的に減少させ、被収容物Ｏの生息環境に応じて最終的な塩分濃度を設定すればよく（例えば、最終的に約１％）、段階数や減少度合いは任意に調整可能である。
【００４７】
調製水Ｗ１としては、ろ過した水道水や地下水、あるいは精製水などに塩分を添加した水、あるいは通常海水をろ過した水道水や地下水、あるいは精製水などで希釈した水を利用する。
【００４８】
調整水Ｗ２としては、ろ過した水道水や地下水、あるいは精製水などに生物に適した量の塩化ナトリウム，塩化カルシウム，塩化カリウム等の塩を溶解した水を利用する。例えば、調製水Ｗ２として、通常水（水道水、地下水、河川水、あるいは精製水など）にカルシウム、カリウム、ナトリウムの各塩化物を添加したものを用いる。通常海水はナトリウム、硫黄、マグネシウムなど６０種類以上の成分から組成されるが、水生生物の代謝に最低限必要な物質である上記４元素３試薬によって好適な搬送環境を創出することができる。調製水の比重は略１．００４以上天然海水以下となるように調整し、さらには、水生生物の搬送に適したｐｈ値を保つようｐｈ調整器又はｐｈ調整用生物（貝殻、珊瑚礁など）を用いるとよい。
【００４９】
本システムでは、被収容物Ｏを梱包する前に、塩分濃度を下げた調製水になじませてから梱包することで、被収容物Ｏに負担がかからない有利な搬送条件を創出することができる。すなわち、エアポンプや圧縮空気による通常のバブリング、混合ガスによるナノバブリングを収容体ユニットに入れる前処理として行い、ハサミを持つカニや飛び跳ねるエビ、鋭い棘のあるヒレを持つ魚などを麻酔効果を利用して眠らせることで、安全かつ容易に収容体ユニットに収容することができる。また、本システムでは、その被収容物Ｏを梱包した後も搬送状態において混合ガスによるナノバブリングを行うことで、より有利な搬送条件を維持することができる。
【００５０】
図５は、本発明の実施の形態に係る収容体ユニット１の１つの活用例を説明するための図であり、図５（ａ）は第１収容体１０を用いた例、図５（ｂ）は第２収容体２０を用いた例である。
【００５１】
図５（ａ）において、第１収容体１０の筐体１１内にゴミＤを袋に入れ、蓋体１２を取り付けて収容することができる。ゴミＤを袋に入れる際には、ビニール袋２を活用することで環境にやさしい利用となる。また、ゴミＤを袋に入れずに直接第１収容体１０に入れ、貫通孔Ｐ１，Ｐ２を利用して水切りを行うことが可能となり、生ゴミの廃棄の手助けともなる。図５（ｂ）において、第２収容体２０内にゴミＤを袋に入れ、ゴミ収容蓋体３０を取り付けて収容することができる。ゴミＤを袋に入れる際には、ビニール袋２を活用することで環境にやさしい利用となる。
【００５２】
なお、第１収容体１０の筐体１１内にゴミＤを袋に入れ、蓋体１２を取り付けて収容することができる。ゴミＤを袋に入れる際には、ビニール袋２を活用することで環境にやさしい利用となる。また、ゴミＤを袋に入れずに直接第１収容体１０に入れ、貫通孔Ｐ１，Ｐ２を利用して水切りを行うことが可能となり、生ゴミの廃棄の手助けともなる。
【００５３】
また、第１収容体１０や第２収容体２０の単体での活用に加えて、第１収容体１０及び第２収容体２０の両方を活用することもできる。例えば、貫通孔Ｐ１，Ｐ２を利用してゴミの水切りを行った第１収容体１０を第２収容体２０に収容して汚水の漏れ出しを防ぐことができるし、二重にゴミを封止することで、ゴミの突起部等によるゴミ袋の破損やゴミ廃棄を行う人の負傷リスクを防ぐことができる。
【００５４】
図６は、第１収容体１０の構成図、図７は、第１収容体の筐体１１の構成図、図８は、第１収容体の蓋体１２の構成図である。なお、図６及び図８においては、筐体１１及び蓋体１２に形成される貫通孔Ｐ１，Ｐ２は図示を省略している。
【００５５】
図６（ａ）において、第１収容体１０は、円筒状の筐体１１の左右両端開口部に蓋体１２が取り付けられる。蓋体１２は、筐体１１と同径に立設した嵌合溝１２ａと、嵌合溝から外側に向かう外周部１２ｂと、嵌合溝１２ａから内側に向かう内周部１２ｃと、が形成されている。筐体１１の両端開口部は蓋体１２のそれぞれの嵌合溝１２ａに嵌合される（図６（ｂ）の部分拡大断面図参照）。
【００５６】
図７において、筐体１１は、平面状シートを円柱状に組み立てることで完成する。平面状シートは、円周面となる四角部１１ａと両端に合わせ面となる細長状の耳部１１ｂとで構成され、四角部１１ａを丸めて耳部１１ｂを貼り合わせホッチキス等で止める。耳部１１ｂに凹凸のツメを形成し、ツメを嵌合させるなどの加工を施してもよい。四角部１１ａには全面にわたりスリット加工又はパンチング加工が施されて貫通孔Ｐ１が形成される。
【００５７】
図８において、図８（ａ）は蓋体１２の平面図、図８（ｂ）は蓋体１２の側面図である。蓋体１２は、嵌合溝１２ａの凹凸面に加えて、中心領域１２ｃ１から四方に向けた凹状部１２ｃ２が形成されており、凹状部１２ｃ２に指を掛けることで蓋体１２の開け閉めの際の便宜に資することができる。蓋体１２の内周部１２ｃには全面にわたりスリット加工又はパンチング加工が施されて貫通孔Ｐ２（不図示）が形成される。
【００５８】
図９及び図１０は、第２収容体２０の構成図である。第２収容体２０は円周面に切欠部２０ａが形成されている。図１０において、第２収容体２０は、平面状シートを円柱状に組み立てることで完成する。平面状シートは、円周面となる四角部２０ｂと両端に合わせ面となる細長状の耳部２０ｃとで構成され、四角部２０ｂを丸めて耳部２０ｃを貼り合わせホッチキス等で止める。耳部２０ｃに凹凸のツメを形成し、ツメを嵌合させるなどの加工を施してもよい。
【００５９】
図１１は、封止蓋体３０の構成図である。図５（ｂ）に示す活用例のように、第２収容体２０を封止する必要がある際に使用するものであり、第２収容体２０と同径に立設した係止凸部３０ａが形成されている。第２収容体２０の両端部は封止蓋体３０のそれぞれの係止凸部３０ａに嵌合される。封止蓋体３０で完全密閉するには、第２収容体２０と係止凸部３０ａの密着面をホッチキス等で止めて密閉する。
【００６０】
図１２は、本発明の収容体ユニット１の組立図である。収容体ユニット１は、筐体１１の左右両端開口部に蓋体１２が取り付けられて第１収容体１０をなし、この第１収容体１０を第２収容体２０の開口端から挿入して収容することで完成する。
【産業上の利用可能性】
【００６１】
以上、本発明に係る収容体ユニット及び被収容物搬送システムによれば、水生生物を生きたまま搬送する際の搬送環境を経済的かつ合理的なものとし、水生生物への負荷が少ない搬送態様を実現するものとして有用であえ。
【符号の説明】
【００６２】
１  収容体ユニット
２  ビニール袋
２ａ  開口端部
３  ダンボール箱
６  ガスボンベ（６ａ：圧縮空気、６ｂ：混合ガス、６ｃ：混合ガス）
７  ナノ装置
１０  第１収容体
１１  筐体（１１ａ：四角部、１１ｂ：耳部）
１２  蓋体（１２ａ：嵌合溝、１２ｂ：外周部、１２ｃ：内周部）
２０  第２収容体（２０ａ：切欠部、２０ｂ：四角部、２０ｃ：耳部）
３０  封止蓋体（係止凸部３０ａ）
Ｄ  ゴミ
Ｏ  被収容物
Ｐ１，Ｐ２  貫通孔
Ｗ  通常海水
Ｗ１，Ｗ２  調製水
【図１】
2018065610.tif 000003
【図２】
2018065610.tif 000004
【図３】
2018065610.tif 000005
【図４】
2018065610.tif 000006
【図５】
2018065610.tif 000007
【図６】
2018065610.tif 000008
【図７】
2018065610.tif 000009
【図８】
2018065610.tif 000010
【図９】
2018065610.tif 000011
【図１０】
2018065610.tif 000012
【図１１】
2018065610.tif 000013
【図１２】
2018065610.tif 000014